(57)【要約】【課題】移動補助具を提供する。【解決手段】本発明の移動補助具は、歯軌条を含み、該歯軌条の一側に複数の歯形を有するラックを具有するレール組と、該歯軌条に摺動するようにして設けられ、滑車組とブレーキ機構組とを含み、該滑車組が該レール組に対して摺動し、該ブレーキ機構組がロールとブレーキ部材とを有し、該ロールが該ラックに対して噛合し、該ブレーキ部材が該ロールに対して変位して噛合し当接し、離れると自由状態になる架台と、移動可能に該架台に組み合わせられて該ブレーキ部材を連動させ、該レール組の一側に延すひじかけを含む掴み機構組と、を含み、使用者は、掴み機構組を掴みさえすれば、掴み機構組によってブレーキ部材を連動してロールから離脱させ、移動補助具がロールによって歯軌条に対して移動し、リハビリテーションの需要を満たすことができる。【選択図】図１
2018201884.tif 000002
【特許請求の範囲】
【請求項１】
歯軌条を含み、該歯軌条の一側に複数の歯形を有するラックを具有するレール組と、
該歯軌条に摺動するようにして設けられ、滑車組とブレーキ機構組とを含み、該滑車組が該レール組に対して摺動し、該ブレーキ機構組がロールとブレーキ部材とを有し、該ロールが該ラックに対して噛合し、該ブレーキ部材が該ロールに対して変位して噛合し当接し、離れると自由状態になる架台と、
移動可能に該架台に組み合わせられて該ブレーキ部材を連動させ、該レール組の一側に延すひじかけを含む掴み機構組と、
を含むことを特徴とする移動補助具。
【請求項２】
該ロールが第一ギヤを含み、該ブレーキ部材の一側に複数のブレーキ歯が設けられ、該ブレーキ歯が該第一ギヤと噛合して当接することを特徴とする請求項１に記載の移動補助具。
【請求項３】
該ブレーキ機構組がハンドル軸と、放出軸と、放出ブロックと、制御ロープとを含み、該ハンドル軸の一端が該掴み機構組に固定され、該ハンドル軸の他の一端が該放出軸に押し付け、該制御ロープの両端がそれぞれに該放出軸と該放出ブロックに固定され、該放出ブロックがブロック状の該ブレーキ部材とを固定され、該掴み機構組が該ハンドル軸を押動し、そして該ハンドル軸が該放出軸を押し付け、該放出軸が該制御ロープを引っ張り、該制御ロープが該放出ブロックを引っ張り、該ブレーキ部材と共に移動させて該ロールとの当接を離脱することを特徴とする請求項２に記載の移動補助具。
【請求項４】
該ブレーキ機構組がブレーキ底板と該制御ロープを覆設する付勢バネとを含み、該ブレーキ底板に側面槽が設けられ、該ロールが該側面槽の一端に軸着されてその部分の下端が露出して該ラックと噛合し、該ブレーキ部材が該側面槽の他の一端に摺動するようにして設けられ、該放出ブロックが、該側面槽が設けられる該ブレーキ底板の一側の反対側に位置され、該放出ブロックと、該ブレーキ底板と、該ブレーキ部材とでネジを挿設し、該放出ブロックと該ブレーキ部材の両者が同期で変位され、該付勢バネが該放出ブロックと該ブレーキ底板とに当接することを特徴とする請求項３に記載の移動補助具。
【請求項５】
該ロールが第一ギヤと第二ギヤとを含み、該第一ギヤと該第二ギヤが同一軸方向で組み合わせられ、該ブレーキ部材がその一端で該架台に軸着され、該ブレーキ部材の他の一端にブレーキ歯が設けられて該第二ギヤと噛合して当接し、該第一ギヤが該ラックと噛合することを特徴とする請求項１に記載の移動補助具。
【請求項６】
該ブレーキ機構組がハンドル軸と、放出軸と、放出ブロックと、制御ロープとを含み、該ハンドル軸の一端が該掴み機構組に固定され、該ハンドル軸の他の一端が該放出軸に押し付け、該制御ロープの両端がそれぞれに該放出軸と該ブレーキ部材に固定され、該掴み機構組が該ハンドル軸を押動し、そして該ハンドル軸が該放出軸を押し付け、該放出軸が該制御ロープを引っ張り、該制御ロープが該ブレーキ部材を引っ張り、該ブレーキ部材が回転移動して該ロールの該第二ギヤとの当接を離脱することを特徴とする請求項５に記載の移動補助具。
【請求項７】
該ブレーキ機構組がホスト台と、該ホスト台に対して被せるホスト上カバーと、放出バネとを含み、
該放出軸がその一端で該ホスト台と該ホスト上カバーとの間に水平に軸着され、該放出軸の他の一端が外側に露出し、該ハンドル軸が該放出軸に対してに軸着され、該放出バネの両端がそれぞれに弾性的に該放出軸と該該ホスト上カバーに当接することを特徴とする請求項４又は６に記載の移動補助具。
【請求項８】
該掴み機構組が止め台と、折り畳み台と、ハンドルと、連動軸と、バックルカバーと、押え片とを含み、該ハンドルと該折り畳み台と該止め台とが同じ端側で回転軸を介して軸着され、該止め台の一側が該ハンドル軸の一端に固定され、該止め台と該折り畳み台とが相対的に重ね合わせられ、それらの相対的に重ね合わせられる一側に内へ凹む形状の逃げ溝を形成し、該ハンドルが該逃げ溝に対応する偏心端を有し、該ハンドルがさらに該偏心端と反対方向にして該折り畳み台の外側に位置される操作端を有し、該連動軸がその一端で該偏心端に組み合せられ、該連動軸の他の一端が該バックルカバーに組み合せられ、該バックルカバーが該止め台と該折り畳み台とを軸着する回転軸との反対端側に係合され、該折り畳み台に該押え片が取り付けられ、該折り畳み台と該押え片とが該ひじかけの外周側を囲んで係合し、該ひじかけが枠組みに呈し、該折り畳み台の一側に該逃げ溝へ突出する吊クランプが設けられ、該連動軸が該吊クランプを挿設し、該連動軸が互いに軸着される前軸段と後軸段を含み、該前軸段と該後軸段と互いに軸着される箇所が該逃げ溝の内に位置されて偏向的に揺れ動き、該前軸段が該偏心端に軸着され、該後軸段が該バックルカバーに取り付けられ、該ハンドルを回動させると、該ハンドルが該連動軸の該前軸段を該バックルカバーの方へ変位させるため、該後軸段が該吊クランプでの制限によって該バックルカバーの方へ変位し、そして該バックルカバーがが該後軸段と共に変位してもはや該止め台と該折り畳み台を制限しないので、該折り畳み台が該回転軸によって該止め台に対して有限な角度で揺れ動くことを特徴とする請求項７に記載の移動補助具。
【請求項９】
該レール組がさらにスライドレールを具有し、該スライドレールと該歯軌条とが互いに上下間隔で排列され、該架台が該スライドレールと該歯軌条との間にに摺動するようにして設けられ、該滑車組が第一滑車組と第二滑車組とを含み、該第一滑車組が複数の上滑車を有し、いずれの該上滑車の外周側が凹状円環面に呈し、該上滑車が凹状円環面で円形断面の該スライドレールに対して摺動し、複数の該上滑車の部分が該スライドレールの上方に位置され、他の該上滑車が該スライドレールの両側に位置され、該第二滑車組が該歯軌条の外周側に摺動する複数の下滑車を含むことを特徴とする請求項８に記載の移動補助具。
【請求項１０】
該架台がケースを有し、該第一滑車組と該第二滑車組と該ブレーキ機構組とに取りつけられるようにし、該ケースが２つの側板部と、１つの上板部と、１つの下板部と、１つの連接板部と、１つの収容空間とを有し、２つの該側板部が間隔で排列され、それぞれにその両端で該上板部と該下板部とに一体に連接し、該連接板部が２つの該側板部の間に位置されて該上板部の一側に連接し、該収容空間が該側板部と、該上板部と、該下板部と、該連接板部とで囲まれてなることを特徴とする請求項９に記載の移動補助具。
【発明の詳細な説明】
【技術分野】
【０００１】
本発明は、移動補助具に関し、特に使用者が掴んて歩行し、階段を登る構成を提供し、日常活動の移動支援とし、患者のリハビリ用設計とすることもできる移動補助具に関する。
【背景技術】
【０００２】
科学技術と医療の進歩に依存され、社会の人口構造は徐々に高齢化へ進み、年齢の増加に伴う体の各生理機能の退化、特に筋ジストロフィー、両足が楽に歩行する及び階段を登る、降りることができないなどが引き起こされている。また、高齢者や腿又は脚のけがなどで動作が不便な人を含まれ、リハビリテーションを受ける方式で足の筋力を鍛錬しなければならない。
【０００３】
よって、現状に、補助具製品によって動作が不便である又は楽に歩行する及び階段を登る、降りることができない使用者に提供される補助装置を例として、米国特許公開明細書第２０１６／００９０７４３号のように、手すりと階段に沿って設けられる鞍形台とを含み、該鞍形台が導引レール及びブレーキレールと互いに連接されて摺動され、該ブレーキレールが平行的に該導引レールに取り付けられ、該手すりが選択的につめ車で離脱されることにスウィッチし、該手すりと該鞍形台との係止又は導引レールに沿う運動を達する。しかしながら、このような構成によって、つめ車とブレーキレールが運動する際にかなり大きい騒音が発生され、該つめ車も特別に製造する必要があるため、そのコストは相対的に高くなる。
【０００４】
なお、平地モードのリハビリ機構が提案され、図２２のように、リハビリテーションを受ける人は、両手が下へおろす姿に呈し、別々に両側の手すり７を掴んで踏み出し手前進する必要がある訓練を進む。歩を踏み出すたびに、足と同じ側の上肢で該手すり７に支持され、左右に循環に交替する必要がある。体の動きが安定でなくリハビリテーションを受ける人に対し、体の重量と重心が上体に傾け、上体のコアマッスルが相当な力を消費しなければならず、容易に疲れるだけでなく、腿部のリハビリテーションで手や上体の他の部分のけがすら引き起こす。
【先行技術文献】
【特許文献】
【０００５】
【特許文献１】特開2004-305545号公報
【発明の概要】
【発明が解決しようとする課題】
【０００６】
本発明の目的は、左右の手を揺れ動く必要がなくても支持作用を達してリハビリテーションを行う移動補助具を提供するものである。
【課題を解決するための手段】
【０００７】
上述の課題を解決するために、本発明の移動補助具は、歯軌条を含み、該歯軌条の一側に複数の歯形を有するラックを具有するレール組と、該歯軌条に摺動するようにして設けられ、滑車組とブレーキ機構組とを含み、該滑車組が該レール組に対して摺動し、該ブレーキ機構組がロールとブレーキ部材とを有し、該ロールが該ラックに対して噛合し、該ブレーキ部材が該ロールに対して変位して噛合し当接し、離れると自由状態になる架台と、移動可能に該架台に組み合わせられて該ブレーキ部材を連動させ、該レール組の一側に延すひじかけを含む掴み機構組と、を含むことを特徴とする移動補助具。使用者は、掴み機構組を掴みさえすれば、掴み機構組によってブレーキ部材を連動してロールから離脱させ、移動補助具がロールによって歯軌条に対して移動し、リハビリテーションの需要を満たすことができる。
【図面の簡単な説明】
【０００８】
【図１】本発明が組み合せられる状態を示す部分透視斜面図である。
【図２】本発明が組み合せられる状態の他の視角を示す部分透視斜面図である。
【図３】本発明が組み合せられる状態を示す斜面図である。
【図４】本発明の掴み機構組を示す斜面図である。
【図５】本発明の掴み機構組の前部分を折り畳む状態を示す断面図である。
【図６】本発明の掴み機構組を折り畳む過程を示す部分断面図である。
【図７】本発明が組み合せられる状態の前端を示す部分斜面図である。
【図８】本発明が組み合せられる状態の後端を示す部分斜面図である。
【図９】本発明のブレーキ機構組の部分を示す分解斜面図である。
【図１０】本発明のブレーキ機構組の他の部分を示す分解斜面図である。
【図１１】本発明を示す側面図である。
【図１２】本発明の掴み機構組がブレーキ機構組を連動する作動を示す図である。
【図１３】本発明の掴み機構組がブレーキ機構組を連動する作動を示す側面図である。
【図１４】本発明の掴み機構組がブレーキ機構組を連動する作動を示す図である。
【図１５】本発明の掴み機構組がブレーキ機構組を連動する作動を示す側面図である。
【図１６】本発明が階段に適用される状態を示す図である。
【図１７】本発明の第二実施例を示す斜面図である。
【図１８】本発明の第三実施例を示す斜面図である。
【図１９】本発明の第三実施例の部分を示す分解斜面図である。
【図２０】本発明の第三実施例に係るブレーキ機構組が噛み合いを離脱する作動を示す図である。
【図２１】本発明の第三実施例に係るブレーキ機構組が噛み合いをする作動を示す図である。
【図２２】従来の技術において手すりを使用してリハビリテーションを行う状態を示す図である。
【発明を実施するための形態】
【０００９】
（第一実施例）
図１〜３を参照し、本発明の移動補助具１は、歯軌条２１を含み、該歯軌条２１の一側に複数の歯形を有するラック２１１を具有するレール組２と、該歯軌条２１に摺動するようにして設けられ、滑車組４とブレーキ機構組５とを含み、該滑車組４が該レール組２に対して摺動し、該ブレーキ機構組５がロール５１とブレーキ部材５２とを有し、該ロール５１が該ラック２１１に対して噛合し、該ブレーキ部材５２が該ロール５１に対して変位して噛合し当接し、離れると自由状態になる架台３と、移動可能に該架台３に組み合わせられて該ブレーキ部材５２を連動させ、該レール組２の一側に延すひじかけ６１を含む掴み機構組６と、を含む。
【００１０】
本発明が使用される時、リハビリテーションを受ける人は、両手で該ひじかけ６１を掴んで踏み出して前進し、歩を踏み出す際に両手で該ひじかけ６１を掴んで押動し、該ひじかけ６１が該架台３を連れて前進し、その過程に該滑車組４が該レール組２の該歯軌条２１に対して摺動し、該ブレーキ機構組５の該ロール５１が該ラック２１１に対して噛合して回動する。上記の説明により、両手の揺れ動きの必要がなくて、あるいは片手で手すりを支持するため踏み出すことで上体の重心の変位を避けるので、両手で同一の水平位置で重心との踏み出すことで上体の重心の変位を安定させ（従来のリハビリテーションの過程に左右手を交換する現象を避ける）。その他に、間接的に該架台３を押動して該ロール５１が該ラック２１１に対して噛合して転動するため、リハビリテーションに踏み出す速度が速すぎることはしない。
【００１１】
該ロール５１が第一ギヤ５１１を含み、該ブレーキ部材５２の一側に複数のブレーキ歯が設けられ、該ブレーキ歯が該第一ギヤ５１１と噛合して当接する。
【００１２】
図７〜１１を参照し、該ブレーキ機構組５がハンドル軸５３と、放出軸５４と、放出ブロック５５と、制御ロープ５６とを含み、該ハンドル軸５３の一端が該掴み機構組６の止め台６２に固定され、該ハンドル軸５３の他の一端が該放出軸５４に押し付け、該制御ロープ５６の両端がそれぞれに該放出軸５４と該放出ブロック５５に固定され、該放出ブロック５６がブロック状の該ブレーキ部材５２とを固定され、該掴み機構組６（の止め台６２）が該ハンドル軸５３を押動し、そして該ハンドル軸５３が該放出軸５４を押し付け、該放出軸５４が該制御ロープ５６を引っ張り、該制御ロープ５６が該放出ブロック５５を引っ張り、該ブレーキ部材５２と共に移動させて該ロール５１との当接を離脱する。
【００１３】
該ブレーキ機構組５がブレーキ底板５７と該制御ロープ５６を覆設する付勢バネ５８とを含み、該ブレーキ底板５７に側面槽５７１が設けられ、該ロール５１が該側面槽５７１の一端に軸着されてその部分の下端が露出して該ラック２１１と噛合し、該ブレーキ部材５２が該側面槽５７１の他の一端に摺動するようにして設けられ、該放出ブロック５５が、該側面槽５７１が設けられる該ブレーキ底板５７の一側の反対側に位置され、該放出ブロック５５と、該ブレーキ底板５７と、該ブレーキ部材５２とでネジを挿設し、該放出ブロック５５と該ブレーキ部材５２が該ブレーキ底板５７に対して同期で変位され、該付勢バネ５８が該放出ブロック５５と該ブレーキ底板５７とに当接する。したがって、該制御ロープ５６を引っ張る際に、該放出ブロック５５が該付勢バネ５８を圧縮し、ふだん使用しない場合、該付勢バネ５８の弾性が回復して該放出ブロック５５を弾性的に連れ、該放出ブロック５５が該ブレーキ部材５２を連動して該ロール５１の第一ギヤ５１１に噛合させ、その回動を制限する。このようにして、本発明は該掴み機構組６に対して押し付ける力がない場合、該ブレーキ機構組５がブレーキ部材５２で該ロール５１の該第一ギヤ５１１と噛合してその回動を制限し、該第一ギヤ５１１が該歯軌条２１に対して噛合し回動することをさせなく、換言すれば、本発明は操作上の方向性を有し、踏み出して該掴み機構組６のひじかけ６１を押動することを止める時に、任意に移動されることはしない。
【００１４】
該ブレーキ機構組５がホスト台５９と、該ホスト台５９に対して被せるホスト上カバー５０と、放出バネ５０１とを含み、該放出軸５４がその一端で該ホスト台５９と該ホスト上カバー５０との間に水平に軸着され、該放出軸５４の他の一端が外側に露出し、該ハンドル軸５３の一端が該掴み機構組６の該止め台６２に固定され、該ハンドル軸５３の他の一端が該放出軸５４に軸着され、該放出バネ５０１の両端がそれぞれに弾性的に該放出軸５４と該該ホスト上カバー５０に当接する。図１２〜１５に示すように、本発明を操作してリハビリテーションを受ける時に、間接的に該ハンドル軸５３を押動し、
該ハンドル軸５３が該放出軸５４を押し付け、該放出軸５４が該放出バネ５０１を圧縮し、ふだん使用しない場合、該放出バネ５０１が該放出軸５４を押し付けて引き返させ、同時に該ハンドル軸５３も最初の位置に戻る。
【００１５】
図４〜６を参照し、該掴み機構組６が止め台６２と、折り畳み台６３と、ハンドル６４と、連動軸６５と、バックルカバー６６と、押え片６７とを含み、該ハンドル６４と該折り畳み台６５と該止め台６２とが同じ端側で回転軸を介して軸着され、該止め台６２の一側が該ハンドル軸５３の一端に固定され、該止め台６２と該折り畳み台６３とが相対的に重ね合わせられ、それらの相対的に重ね合わせられる一側に内へ凹む形状の逃げ溝６８を形成し、該ハンドル６４が該逃げ溝６８に対応する偏心端６４１を有し、該ハンドル６４がさらに該偏心端６４１と反対方向にして該折り畳み台６３の外側に位置される操作端６４２を有し、該連動軸６５がその一端で該偏心端６４１に組み合せられ、該連動軸６５の他の一端が該バックルカバー６６に組み合せられ、該バックルカバー６６が該止め台６２と該折り畳み台６３とを軸着する回転軸との反対端側に係合されて制限され、該折り畳み台６３に該押え片６７が取り付けられ、該折り畳み台６３と該押え片６７とが該ひじかけ６１の外周側を囲んで係合し、該ひじかけ６１が枠組みに呈する。
【００１６】
該折り畳み台６３の一側に該逃げ溝へ突出する吊クランプ６３１が設けられ、該連動軸６５が該吊クランプ６３１を挿設し、該連動軸６５が互いに軸着される前軸段６５１と後軸段６５２を含み、該前軸段６５１と該後軸段６５２と軸着される箇所が該逃げ溝６８の内に位置されて偏向的に揺れ動き、該前軸段６５１が該偏心端６４１に軸着され、該後軸段６５２が該バックルカバー６６に取り付けられ、該ハンドル６４を回動させると、該ハンドル６４が該連動軸６５の該前軸段６５１を該バックルカバー６６の方へ変位させる（揺れ動く）ため、該後軸段６５２が該吊クランプ６３１での制限によって該バックルカバー６６の方へ変位し（軸方向に変位する）、そして該バックルカバー６６がが該後軸段６５２と共に変位してもはや該止め台６２と該折り畳み台６３を制限しないので、該折り畳み台６３が該回転軸によって該止め台６２に対して有限な角度で揺れ動く（図において、反時計方向揺れ動く）。
【００１７】
該レール組２がさらにスライドレール２２を具有し、該スライドレール２２と該歯軌条２１とが互いに上下間隔で排列され、該架台３が該スライドレール２２と該歯軌条２１との間にに摺動するようにして設けられ、該滑車組４が第一滑車組４１と第二滑車組４２とを含み、該第一滑車組４１が複数の上滑車４１１を有し、いずれの該上滑車４１１の外周側が凹状円環面に呈し、該上滑車４１１が凹状円環面で円形断面の該スライドレール２２に対して摺動し、複数の該上滑車４１１の部分が該スライドレール２２の上方に位置され、他の該上滑車４１１が該スライドレール２２の両側に位置され、該第二滑車組４２が該歯軌条２１の外周側に摺動する複数の下滑車４２１を含む。
【００１８】
該架台３がケース３０を有し、該第一滑車組４１と該第二滑車組４２と該ブレーキ機構組５とに取りつけられるようにし、該ケース３０が２つの側板部３１と、１つの上板部３２と、１つの下板部３３と、１つの連接板部３４と、１つの収容空間３５とを有し、２つの該側板部３１が間隔で排列され、それぞれにその両端で該上板部３２と該下板部３３とに一体に連接し、該連接板部３４が２つの該側板部３１の間に位置されて該上板部３２の一側に連接し、該収容空間３５が該側板部３１と、該上板部３２と、該下板部３３と、該連接板部３４とで囲まれてなる。
【００１９】
上記の実施例は、該レール組２を水平形態に設けられ、歩を踏み出してリハビリテーションを受ける形態で、平面で歩く形式を模擬する。さらに、該レール組２を非水平形態に変えて該レール組２を階段における走行面に定位させて固定の高さを維持することで、階段を登るリハビリテーションに適用され、図１６のように示す。それに、本発明の該レール組２は上下間隔で排列される該スライドレール２２と該歯軌条２１を採用し、同時にそれぞれに該第一滑車組４１と該第一滑車組４２の摺動の組み合わせを提供し、該架台３が移動する時に発生される揺れを低減し、効果的に快適感と安全性を高める。その他に、本発明も現存する建物の壁面に取り付けられ、家庭用移動補助の用途又は家庭用リハビリテーションを受ける人に提供することができる。
【００２０】
（第二実施例）
図１７に示すように、本発明の第二実施例について、上記の実施例と異なる点が、該スライドレール２２とボトムレール２３が上下間隔で排列される形式を採用し、該ボトムレール２３がラックを具有せず、該ブレーキ機構組５が該ボトムレール２３の両側に対応して掴む及び離す摩擦ブロック６０２を含み、該掴み機構組６によって該摩擦ブロック６０２の作動を連動する。
【００２１】
（第三実施例）
図１８〜２１を参照し、本発明の第三実施例を示す。上記の実施例と異なる点が、該ロール５１が第一ギヤ５１１と第二ギヤ５１２とを含み、該第一ギヤ５１１と該第二ギヤ５１２が同一軸方向で組み合わせられ、該ブレーキ部材５２が長い棒状に呈し、該ブレーキ部材５２がその一端で該架台３の内にある該ブレーキ底板５７に軸着され、該ブレーキ部材５２の他の一端にブレーキ歯が設けられて該第二ギヤ５１２と噛合して当接し、該第一ギヤ５１１が該ラック２１１と噛合する。該ブレーキ機構組５がハンドル軸５３と、放出軸５４と、放出ブロック５５と、制御ロープ５６とを含み、該ハンドル軸５３の一端が該掴み機構組６の止め台６２に固定され、該ハンドル軸５３の他の一端が該放出軸５４に押し付け、該制御ロープ５６の両端がそれぞれに該放出軸５４と該ブレーキ部材５２に固定され、該掴み機構組６の該止め台６２が該ハンドル軸５３を押動し、そして該ハンドル軸５３が該放出軸５４を押し付け、該放出軸５４が該制御ロープ５６を引っ張り、該制御ロープ５６が該放出ブロック５５を引っ張って枢動させ、該ブレーキ部材５２を該ロール５１の該第二ギヤ５１２との当接を離脱させる。
【００２２】
以上の説明は、本発明の好適な実施形態を示したものであり、本発明を限定するものではない。従って、本発明の主旨を逸脱しない範囲における修飾または変更は、全て、本発明の保護範囲に含まれる。
【符号の説明】
【００２３】
７  手すり
１  移動補助具
２  レール組
２１  歯軌条
２１１  ラック
２２  スライドレール
２３  ボトムレール
３  架台
３０  ケース
３１  側板部
３２  上板部
３３  下板部
３４  連接板部
３５  収容空間
４  滑車組
４１  第一滑車組
４１１  上滑車
４２  第二滑車組
４２１  下滑車
５  ブレーキ機構組
５１  ロール
５１１  第一ギヤ
５１２  第二ギヤ
５２  ブレーキ部材
５３  ハンドル軸
５４  放出軸
５５  放出ブロック
５６  制御ロープ
５７  ブレーキ底板
５８  側面槽
５９  付勢バネ
５４  ホスト台
５４  ホスト上カバー
５０１  放出バネ
６  掴み機構組
６１  ひじかけ
６２  止め台
６３  折り畳み台
６３１  吊クランプ
６４  ハンドル
６４１  偏心端
６４２  操作端
６５  連動軸
６５１  前軸端
６５２  後軸端
６６  バックルカバー
６７  押え片
６８  逃げ溝
６０２  摩擦ブロック
【図１】
2018201884.tif 000003
【図２】
2018201884.tif 000004
【図３】
2018201884.tif 000005
【図４】
2018201884.tif 000006
【図５】
2018201884.tif 000007
【図６】
2018201884.tif 000008
【図７】
2018201884.tif 000009
【図８】
2018201884.tif 000010
【図９】
2018201884.tif 000011
【図１０】
2018201884.tif 000012
【図１１】
2018201884.tif 000013
【図１２】
2018201884.tif 000014
【図１３】
2018201884.tif 000015
【図１４】
2018201884.tif 000016
【図１５】
2018201884.tif 000017
【図１６】
2018201884.tif 000018
【図１７】
2018201884.tif 000019
【図１８】
2018201884.tif 000020
【図１９】
2018201884.tif 000021
【図２０】
2018201884.tif 000022
【図２１】
2018201884.tif 000023
【図２２】
2018201884.tif 000024